(57)【要約】【課題】インテリジェント電子装置のタッチレスコミッショニングのためのシステムおよび方法を提供する。【解決手段】据え付け後にインテリジェント電子装置（ＩＥＤ）を初期設定するまたはコミッショニングするためのシステムは、特定の無線ネットワークを検出すると、ＩＥＤが特定の無線ネットワークに自動的に接続することを可能にする無線ネットワーク設定を配置に先立ち設定されるＩＥＤを有するＩＥＤ設定システムを含む。ＩＥＤ設定システムは、ＩＥＤの無線ネットワーク設定にしたがって特定の無線ネットワークをホストするように構成されたＩＥＤ設定装置をやはり含む。さらにその上、ＩＥＤ設定装置は、一旦、ＩＥＤが無線ネットワークに接続すると、ＩＥＤをコミッショニングするために無線ネットワークを介してＩＥＤへ複数の設定セット値を通信するように構成される。【選択図】図１
2015154490.tif 000002
【特許請求の範囲】
【請求項１】
インテリジェント電子装置（ＩＥＤ）が特定の無線ネットワークを検出すると、前記ＩＥＤが前記特定の無線ネットワークに自動的に接続することを可能にする無線ネットワーク設定を配置に先立ち設定されるＩＥＤと、
前記ＩＥＤの前記無線ネットワーク設定にしたがって前記特定の無線ネットワークをホストするように構成されたＩＥＤ設定装置であって、一旦、前記ＩＥＤが前記無線ネットワークに接続すると、前記ＩＥＤ設定装置は、前記ＩＥＤをコミッショニングするために前記無線ネットワークを介して前記ＩＥＤへ複数の設定セット値を通信するように構成される、ＩＥＤ設定装置と
を備える、インテリジェント電子装置（ＩＥＤ）設定システム
を備える、システム。
【請求項２】
前記ＩＥＤ設定装置が、前記特定の無線ネットワークをホストするように構成されたアクセスポイント構成要素を備える、請求項１記載のシステム。
【請求項３】
前記ＩＥＤ設定装置が、前記アクセスポイント構成要素によってホストされた前記無線ネットワークに接続するように構成され、かつ前記無線ネットワークを介して前記ＩＥＤへ前記複数の設定セット値を通信するように構成される設定装置構成要素を備える、請求項２記載のシステム。
【請求項４】
前記設定装置構成要素が、タブレットコンピュータ、ラップトップコンピュータ、またはスマートフォン計算装置を備える、請求項３記載のシステム。
【請求項５】
前記無線ネットワーク設定が、前記ＩＥＤ設定装置の前記アクセスポイント構成要素のインターネットプロトコル（ＩＰ）アドレスおよび前記ＩＥＤ設定装置の前記設定装置構成要素のＩＰアドレスを含む、請求項３記載のシステム。
【請求項６】
前記無線ネットワーク設定が、前記無線ネットワークのサービスセット識別子（ＳＳＩＤ）、前記無線ネットワークのネットワークセキュリティキーまたはパスフレーズ、および前記無線ネットワーク上の前記ＩＥＤに関するインターネットプロトコル（ＩＰ）アドレスを含む、請求項１記載のシステム。
【請求項７】
前記ＩＥＤに関する前記ＩＰアドレスが、前記ＩＥＤに関係するシリアル番号の少なくとも一部から生成される、請求項６記載のシステム。
【請求項８】
前記ＩＥＤ設定装置が、前記ＩＥＤに関する前記複数の設定セット値を指示するオペレータからの入力を受信するように構成された１つまたは複数の入力装置を備える、請求項１記載のシステム。
【請求項９】
前記ＩＥＤは、前記ＩＥＤが前記特定の無線ネットワークに接続することを可能にするように構成された第１の通信モジュールを備え、前記ＩＥＤは、別の装置と別々に通信するように構成された第２の通信モジュールを備える、請求項１記載のシステム。
【請求項１０】
前記システムが、送電網システム、保護および制御システム、工業プラント、電力分配システム、またはこれらのいずれかの組合せである、請求項１記載のシステム。
【請求項１１】
インテリジェント電子装置（ＩＥＤ）のプロセッサにより実行可能な方法であって、
前記ＩＥＤのメモリ装置内に、無線ネットワークのサービスセット識別子（ＳＳＩＤ）および前記無線ネットワークのネットワークセキュリティキーまたはパスフレーズを含む無線ネットワーク設定を記憶するステップと、
無線コミッショニングモードで前記ＩＥＤを動作させるステップであって、無線コミッショニングモードが前記記憶した無線ネットワーク設定を使用して前記無線ネットワークを自動的に探索しかつ前記無線ネットワークに接続する前記ＩＥＤを含む、動作させるステップと、
無線コミッショニングモードで動作させながら前記無線ネットワークの場所を見つけかつ前記無線ネットワークに接続するステップと、
前記無線ネットワークにつなげられたプロセッサから複数のＩＥＤ設定セット値を受信するステップと、
前記受信した複数のＩＥＤ設定セット値を用いて前記ＩＥＤの前記メモリ装置内に記憶した前記ＩＥＤの設定を更新することによって前記ＩＥＤをコミッショニングするステップと
を含む方法。
【請求項１２】
前記無線ネットワーク設定が、ＩＥＤ設定装置のアクセスポイント構成要素のインターネットプロトコル（ＩＰ）アドレスおよび前記プロセッサを含む前記ＩＥＤ設定装置の設定装置構成要素のＩＰアドレスを含む、請求項１１記載の方法。
【請求項１３】
前記無線ネットワーク設定が、前記無線ネットワーク上の前記ＩＥＤに関するインターネットプロトコル（ＩＰ）アドレスを含む、請求項１１記載の方法。
【請求項１４】
前記ＩＥＤの前記ＩＰアドレスが、共通システム内に据え付けのために複数のＩＥＤ内にそれぞれ記憶された複数のＩＰアドレスに対して固有であるように構成される、請求項１３記載の方法。
【請求項１５】
前記ＩＥＤをコミッショニングするステップは、オペレータが前記ＩＥＤと物理的に対話しないで前記受信した複数のＩＥＤ設定セット値を用いて前記ＩＥＤの前記設定を更新するサブステップを含む、請求項１１記載の方法。
【請求項１６】
インテリジェント電子装置（ＩＥＤ）設定装置のメモリ装置内に、無線ネットワークのサービスセット識別子（ＳＳＩＤ）および前記無線ネットワークのネットワークセキュリティキーまたはパスフレーズを含む無線ネットワーク設定を記憶するステップと、
自動発見モードで前記ＩＥＤ設定装置を動作させるステップであって、自動発見モードが前記無線ネットワーク設定に基づいて前記無線ネットワークを確立するために前記ＩＥＤ設定装置の通信モジュールを起動させるステップを含む、動作させるステップと、
ＩＥＤによって提供された１つまたは複数の認証情報を認証するステップおよび前記ＩＥＤが前記無線ネットワークに接続することを認めるステップと
を含む方法。
【請求項１７】
前記ＩＥＤによって提供された前記１つまたは複数の認証情報を拒絶するステップと、前記１つまたは複数の認証情報が前記無線ネットワーク設定に一致しないときに、前記ＩＥＤが前記無線ネットワークに接続することを認めないステップとを含む、請求項１６記載の方法。
【請求項１８】
前記ＩＥＤ設定装置の少なくとも１つの出力装置を介して、認証されかつ前記無線ネットワークに接続した前記ＩＥＤを含む複数のＩＥＤのリストをオペレータに提示するステップを含む、請求項１６記載の方法。
【請求項１９】
前記ＩＥＤ設定装置の少なくとも１つの入力装置を介して、オペレータから前記ＩＥＤに関する複数のＩＥＤ設定セット値を受信するステップを含む、請求項１６記載の方法。
【請求項２０】
前記無線ネットワークを介して、前記ＩＥＤをコミッショニングするために前記ＩＥＤへ前記複数のＩＥＤ設定セット値を送るステップと、
前記無線ネットワークを介して、前記受信したＩＥＤ設定セット値を使用して始めるためおよび無線コミッショニングモード動作を中断するために前記ＩＥＤに対する命令を送るステップと
を含む、請求項１９記載の方法。
【発明の詳細な説明】
【技術分野】
【０００１】
本明細書において開示した主題は、インテリジェント電子装置（ＩＥＤ）に関し、より具体的には、据え付け後にＩＥＤを初期設定するまたはコミッショニングするためのシステムおよび方法に関する。
【背景技術】
【０００２】
保護および制御システム、工業プラント、または電力分配システムなどのいくつかのシステムは、インテリジェント電子装置（ＩＥＤ）を含むことができる。このようなシステム内での計測機能、保護機能、および／または制御機能を提供するように、ＩＥＤを構成することができる。例えば、ＩＥＤは、変圧器などの電力設備からデータ測定値を受信することができ、受信した測定値に基づいて管理装置へステータスを送信することができる。したがって、ＩＥＤは、ＩＥＤを制御するために管理装置から制御信号を受信することができ、管理装置へデータを伝達するためにデータ信号を送ることができる。これらの保護および制御システムは、高電圧設備を含むことができ、このように、オペレータが安全な方式で遠いところでＩＥＤと通信することが可能であることは、利点であり得る。
【先行技術文献】
【特許文献】
【０００３】
【特許文献１】米国特許出願第１３／８３６，９６２号
【発明の概要】
【課題を解決するための手段】
【０００４】
当初に特許請求した発明と範囲において同等のある種の実施形態を下記に要約する。これらの実施形態は、特許請求した発明の範囲を限定するものではなく、むしろこれらの実施形態が本発明の可能性のある形態の簡潔な要約を単に提供するものとする。実際に、本発明は、以下に記述する実施形態と類似するまたは異なる場合がある様々な形態を包含することができる。
【０００５】
一実施形態では、システムは、インテリジェント電子装置（ＩＥＤ）が特定の無線ネットワークを検出すると、ＩＥＤが特定の無線ネットワークに自動的に接続することを可能にする無線ネットワーク設定を配置に先立ち設定されるＩＥＤを有するＩＥＤ設定システムを含む。ＩＥＤ設定システムは、ＩＥＤの無線ネットワーク設定にしたがって特定の無線ネットワークをホストするように構成されたＩＥＤ設定装置をやはり含む。さらにその上、ＩＥＤ設定装置は、一旦、ＩＥＤが無線ネットワークに接続すると、ＩＥＤをコミッショニングするために無線ネットワークを介してＩＥＤへ複数の設定セット値を通信するように構成される。
【０００６】
別の一実施形態では、方法は、インテリジェント電子装置（ＩＥＤ）のメモリ装置内に、無線ネットワークのサービスセット識別子（ＳＳＩＤ）および無線ネットワークのネットワークセキュリティキーまたはパスフレーズを含む無線ネットワーク設定を記憶するステップを含む。本方法は、無線コミッショニングモードでＩＥＤを動作させるステップを含み、ここでは、無線コミッショニングモードは、記憶した無線ネットワーク設定を使用して無線ネットワークを自動的に探索し、かつ無線ネットワークに接続するＩＥＤを包含する。本方法は、無線コミッショニングモードで動作させながら無線ネットワークの場所を見つけかつ無線ネットワークに接続するステップを含む。本方法は、無線ネットワークにつなげられたプロセッサから複数のＩＥＤ設定セット値を受信するステップと、受信した複数のＩＥＤ設定セット値を用いてＩＥＤのメモリ装置内に記憶したＩＥＤの設定を更新することによってＩＥＤをコミッショニングするステップとをさらに含む。
【０００７】
別の一実施形態では、インテリジェント電子装置（ＩＥＤ）のプロセッサにより実行可能な方法は、インテリジェント電子装置（ＩＥＤ）設定装置のメモリ装置内に、無線ネットワークのサービスセット識別子（ＳＳＩＤ）および無線ネットワークのネットワークセキュリティキーまたはパスフレーズを含む無線ネットワーク設定を記憶するステップを含む。本方法は、自動発見モードでＩＥＤ設定装置を動作させるステップを含み、ここでは、自動発見モードは、無線ネットワーク設定に基づいて無線ネットワークを確立するためにＩＥＤ設定装置の通信モジュールを起動させるステップを包含する。本方法は、ＩＥＤによって提供された１つまたは複数の認証情報を認証するステップと、ＩＥＤが無線ネットワークに接続することを認めるステップとをさらに含む。
【０００８】
本発明のこれらのおよびその他の特徴、態様および長所は、添付した図面を参照して下記の詳細な説明を読むと、より良く理解されるようになるであろう。図面では、類似の参照符号は、図面全体を通して類似の構成要素を表す。
【図面の簡単な説明】
【０００９】
【図１】発電システム、送電システム、および配電制御システムの実施形態のブロック図である。
【図２】管理センタおよびそれぞれが複数のインテリジェント電子装置（ＩＥＤ）を含む複数の変電所を有する、図１に描いた保護および制御システムの実施形態のブロック図である。
【図３】無線アクセスポイントを含むＩＥＤ設定装置を有するＩＥＤ設定システムの実施形態のブロック図である。
【図４】集積型無線機能を有するＩＥＤ設定装置を有するＩＥＤ設定システムの別の一実施形態のブロック図である。
【図５】ＩＥＤを配置することができるプロセスの実施形態を図示する流れ図である。
【図６】ＩＥＤをコミッショニングするためにＩＥＤ設定装置を使用することができるプロセスの実施形態を図示する流れ図である。
【図７】配置に先立ってＩＥＤを事前設定することができるプロセスの実施形態を図示する流れ図である。
【図８】ＩＥＤが無線コミッショニングモードで動作することができるプロセスの実施形態を図示する流れ図である。
【図９】ＩＥＤ設定装置が自動発見モードで動作することができるプロセスの実施形態を図示する流れ図である。
【図１０】ＩＥＤ設定装置がオペレータからＩＥＤに関する設定セット値を受信することができ、ＩＥＤに設定セット値を提供することができるプロセスの実施形態を図示する流れ図である。
【図１１】ＩＥＤがＩＥＤ設定装置から設定セット値を受信することができ、コミッショニングプロセスを完了させることができるプロセスの実施形態を図示する流れ図である。
【発明を実施するための形態】
【００１０】
本発明の１つまたは複数の具体的な実施形態を以下に説明する。これらの実施形態の簡潔な説明を与えることを目指して、実際の実装形態のすべての特徴を明細書中では記述しない場合がある。いずれかのこのような実際の実装形態の開発において、いずれかのエンジニアリングプロジェクトまたは設計プロジェクトにおけるように、システムに関係する制約およびビジネスに関係する制約に伴うコンプライアンスなどの、実装形態ごとに変わることがある開発者に特有なゴールを達成するために、数多くの実装形態に特有な判断を行わなければならないことを、認識すべきである。その上、このような開発の試みは、複雑でありかつ長時間を必要とするはずであるが、それにもかかわらず、この開示の恩恵を受ける当業者にとっては設計、製作、および製造の日常的な業務であるはずであることを、認識すべきである。
【００１１】
本発明の様々な実施形態の要素を導入するときに、「１つ（ａ）」、「１つ（ａｎ）」、「その（ｔｈｅ）」、および「前記（ｓａｉｄ）」という冠詞は、要素の１つまたは複数があることを意味するものとする。「備える（ｃｏｍｐｒｉｓｉｎｇ）」、「含む（ｉｎｃｌｕｄｉｎｇ）」および「有する（ｈａｖｉｎｇ）」という用語は、包括的であり、列挙した要素の他にさらなる要素があり得ることを意味するものとする。
【００１２】
本開示は、全体として、保護および制御システム、工業プラント、電力変電所、または配電システムなどのシステム内に配置されたインテリジェント電子装置（ＩＥＤ）の、コミッショニングとも呼ばれる初期設定を改善する方向に向けられる。述べたように、このようなシステム内では、ＩＥＤは、計測機能、保護機能、および／または制御機能などの機能を提供することができる。例えば、ＩＥＤを、電力設備（例えば、遮断器、変圧器、スイッチ、モータ、または発電機）につなげることができ、電力設備から測定値（例えば、周波数測定値、電圧測定値、および電流測定値）を受信するように構成することができる。加えて、電力設備の機能を制御するために、電力設備へ制御コマンドを送るように、ＩＥＤを構成することができる。さらにその上、受信した測定値に基づいて、制御コマンドを、遮断器を始動させるためなどの電力施設への保護制御コマンドとすることができる。したがって、オペレータがＩＥＤへコマンド情報を送り、ＩＥＤからデータを受信することが可能であるように、制御システムを構成することができる。制御システムが、高電圧設備を制御するＩＥＤ、到達することが困難な場所に配置されたＩＥＤ、および／または広い物理的な空間にわたって分散された多数のＩＥＤを含むことができるので、オペレータが遠いところで安全な方式でＩＥＤを設定することが可能であることは、利点であり得る。
【００１３】
したがって、本開示の実施形態は、ＩＥＤと物理的に対話せずに据え付けたＩＥＤをコミッショニングすること（例えば、初期設定すること）を可能にするシステムおよび方法を提供する。すなわち、本実施形態は、米国電気電子工業会（ＩＥＥＥ）８０２．１１ｘｘ（例えば、８０２．１１ａ、８０２．１１ｂ、８０２．１１ｇ、８０２．１１ｎ、等）標準に基づく無線ローカルエリアネットワーク（ＷＬＡＮ）を介した安全な通信を使用するＩＥＤのタッチレス初期設定を可能にするシステムおよび方法を提供する。下記に詳細に述べるように、ある種の実施形態では、本取り組みの態様は、ＩＥＤが無線コミッショニングモードで動作することを可能にするために、（例えば、配置に先立って）ＩＥＤを事前設定することを含む。無線コミッショニングモードで動作すると、ＩＥＤは、実行すべきＩＥＤの初期設定のために、ＩＥＤ設定装置への安全な無線接続を自動的に確立することができる。ある種の実施形態では、ＩＥＤ設定装置は、オペレータがＩＥＤをコミッショニングするための設定選択肢を選択することができるインターフェース（例えば、グラフィカルユーザインターフェース）を提供する。ＩＥＤ設定装置は、ＩＥＤがＩＥＤ設定装置のプロセッサと無線で通信して、ＩＥＤの初期設定のためにオペレータによって選択された設定選択肢を受信することを可能にする無線アクセスポイント（ＷＡＰ）機能をやはり提供する。下記に詳細に述べるように、ある種の実施形態では、ＩＥＤ設定装置は、オペレータにとってより単純化されたＩＥＤ識別およびコミッショニングプロセスを可能にする自動発見機能を含むことができる。
【００１４】
上記を念頭に置いて、図１に図示した電力分配システムを含む送電網システム１０などのＩＥＤに基づくシステムの実施形態を説明することは有用であり得る。描いたように、送電網システム１０は、１つまたは複数のユーティリティ１２を含むことができる。ユーティリティ１２は、送電網システム１０の監視動作を提供することができる。本議論が、電力ユーティリティ１２に向けられるが、ここに開示したシステムおよび方法は、他のタイプのユーティリティシステム（例えば、水管理システム、下水道管理システム、天然ガス管理システム）ならびに別のタイプの工業制御および監視システム（例えば、風力タービンシステム、水力タービンシステムまたはガスタービンシステム、石油精製装置、化学製造施設、自動製造施設）に適用可能であることが理解されるはずである。図示した送電網システム１０に関して、管理装置（例えば、ユーティリティ制御センタ１４）は、１つまたは複数の発電所１６および代替発電所１８によって作られた電力を監視し、管理することができる。発電所１６は、ガス、石炭、バイオマス、および燃料用の他の炭素質製品を使用する発電所などの従来型の発電所を含むことができる。代替発電所１８は、太陽光発電、風力発電、水力発電、地熱発電、および電気を作るための他の代替電力供給源（再生可能エネルギー）を使用する発電所を含むことができる。他の基盤施設構成要素は、水力発電プラント２０および地熱発電プラント２２を含むことができる。例えば、水力発電プラント２０は、水力発電を提供することができ、地熱発電プラント２２は、地熱発電を提供することができる。
【００１５】
発電所１６、１８、２０、および２２によって発電された電力を、電力伝送網２４を介して伝送することができる。電力伝送網２４は、１つまたは複数の地方自治体、州、または国などの１つまたは複数の広い地理的領域をカバーすることができる。電力伝送網２４をやはり、単相交流（ＡＣ）システムとすることができるが、最も一般的には、三相ＡＣ電流システムとすることができる。描いたように、電力伝送網２４は、様々な構成の一連の架空電線を支持するために一連の塔を含むことができる。例えば、超高圧（ＥＨＶ）導線は、三相それぞれに対する導線を含む三線導線束に配列されてもよい。電力伝送網２４は、１１０キロボルト（ｋＶ）から７６５キロボルト（ｋＶ）の範囲の公称システム電圧をサポートすることができる。描いた実施形態では、電力伝送網２４を、配電システム（例えば、電力分配変電所２６）に電気的につなげることができる。電力分配変電所２６は、伝送電圧（例えば、７６５ｋＶ、５００ｋＶ、３４５ｋＶ、または１３８ｋＶ）から一次（例えば、１３．８ｋＶまたは４１６０Ｖ）および二次（例えば、４８０Ｖ、２３０Ｖ、または１２０Ｖ）配電電圧へと受電電力の電圧を変換するための変圧器を含むことができる。例えば、工業電力消費者３０（例えば、製造プラント）は、１３．８ｋＶの一次配電電圧を使用することができるが、一方で商業消費者３２および住宅消費者３４へ配電する電力を、１２０Ｖから４８０Ｖの二次配電電圧範囲とすることができる。
【００１６】
上に説明したように、電力分配変電所２６を、送電網システム１０の一部とすることができる。したがって、電力伝送網２４および電力分配変電所２６は、変圧器、モータ、発電機、スイッチ、遮断器、リクローザ、またはシステム１０のいずれかの構成要素などの電力設備と通信する（例えば、制御コマンドを送るおよび測定値を受信する）ために、インテリジェント電子装置（ＩＥＤ）などの様々なディジタル技術および自動化技術を含むことができる。したがって、図２は、保護および制御システム３６の一般的な構成を描き、これを送電網システム１０、工業プラント、または電力分配システム（すなわち、電力分配変電所２６）などのシステム内に含むことができる。システム３６は、管理装置３８、アクセスポイント４０およびＩＥＤ４２を含む様々な変電所２６、ならびに様々な電力設備４４を含むように図示される。描かれたように、管理装置３８は、複数の電力分配変電所２６に通信でつなげられる。管理装置３８を、様々な方法で変電所２６に通信でつなげることができる。例えば、管理装置３８は、ワイドエリアネットワーク（ＷＡＮ）、ローカルエリアネットワーク（ＬＡＮ）、パーソナルエリアネットワーク（ＰＡＮ）、無線ネットワーク、セキュアネットワーク、等を介して変電所２６と通信することができる。
【００１７】
描かれたように、アクセスポイント４０は、複数のＩＥＤ４２に通信でつなげられ、これがアクセスポイント４０とＩＥＤ４２との間の通信を容易にする。例えば、管理装置３８からＩＥＤ４２への設定情報および／またはコマンド情報を中継するように、アクセスポイント４０を構成することができる。いくつかの実施形態では、コマンド情報は、実際の値またはセット値を読み取るようにＩＥＤ４２に指示することができる。加えて、アクセスポイント４０へデータを送るように、ＩＥＤ４２を構成することができ、ＩＥＤ４２から受信したデータを集中させる（例えば、蓄積するまたは集める）ように、アクセスポイント４０を構成することができる。いくつかの実施形態では、データは、センサ測定値（リアルタイム、リアルタイムに近いもしくは遅延した）、測定ログ、ステータス、警報、警告、統計値などの設備４４によって計算された値、またはこれらのいずれかの組合せなどの電力設備４４から受信した測定値を含むことができる。これらの機能および下記に説明する機能を容易にするために、アクセスポイント４０およびＩＥＤ４２は、コンピュータ命令を実行する際に有用な、それぞれプロセッサ４６および４８を含むことができ、コンピュータ命令および他のデータを記憶する際に有用なメモリ５０および５２をやはり含むことができる。ある種の実施形態では、アクセスポイント４０を、ニューヨーク州、スケネクタディ市のゼネラルエレクトリック社から入手可能な、Ｄ４００、Ｄ２０ＭＸ、Ｄ２０、等などのＳＣＡＤＡゲートウェイ通信装置（Ｇａｔｅｗａｙ  Ｃｏｍｍｕｎｉｃａｔｉｏｎ  Ｄｅｖｉｃｅ）とすることができる。具体的に、ＳＣＡＤＡゲートウェイ通信装置は、アクセスポイント４０の特徴を含むことができる。例えば、Ｄ４００は、ＬＡＮなどのネットワークを介して接続されたＩＥＤ４２からの情報を要求することおよび受信することによって、変電所２６内に据え付けられたＩＥＤ４２から集めたデータを集中させることができる。加えて、Ｄ４００は、追加のローカル／疑似データ点を作るために装置からのデータを操作し、ＳＣＡＤＡシステムに集めたデータを提示し、警報条件について電力設備４４を監視し、警報を発し、オペレータにデータを可視的に提示し、そしてＩＥＤ４２および／または電力設備４４へトランスペアレントなアクセスを提供することができる。加えて、ＩＥＤ４２を、ニューヨーク州、スケネクタディ市のゼネラルエレクトリック社から入手可能な、Ｎ６０、Ｌ９０、Ｔ６０、Ｂ９０、Ｇ６０、８シリーズ（Ｓｅｒｉｅｓ）装置（例えば、８５０）、等などのユニバーサルリレー（Ｕｎｉｖｅｒｓａｌ  Ｒｅｌａｙ）とすることができる。したがって、ユニバーサルリレーは、ＩＥＤ４２の特徴を含むことができる。例えば、Ｌ９０は、多機能であり、保護機能、制御機能、および計測機能を提供する。したがって、ユニバーサルリレーは、ケーブル配線および補助装置を著しく削減することができる。加えて、ユニバーサルリレーは、中央制御施設および／またはヒューマンマシンインターフェース（ＨＭＩ）にデータを転送することができる。
【００１８】
上に説明したように、計測機能、保護機能、および／または制御機能を実行するように、ＩＥＤ４２を構成することができる。したがって、描いたように、ＩＥＤ４２は、変圧器、モータ、発電機、スイッチ、遮断器、および／またはリクローザを含むことができる電力設備４４に通信でつなげられる。ＩＥＤ４２は、電力設備４４から電流、電圧、温度、および／または周波数などの測定値を受信することによって計測機能を実行することができる。別の実施形態では、ＩＥＤ４２は、本取り組みの効果を無効にせずにいずれかの適切な監視機能または測定機能（例えば、温度、圧力、流量、ガス組成、速度、位置、湿度、振動、クリアランス、等）を実行することが可能であることを認識することができる。それはそうとして、電力設備４４は、測定値を導き出し、ＩＥＤ４２へ送ることができる。測定値を導き出すことおよび送ることを容易にするために、電力設備４４は、コンピュータ命令を実行する際に有用なプロセッサ５４、ならびにコンピュータ命令および他のデータを記憶する際に有用なメモリ５６を含むことができる。加えて、受信した測定値に基づいて、ＩＥＤ４２は、測定ログを導き出すことができ、電力設備４４のステータスを決定することができ、および／またはある種の値を決定することができる。例えば、ＩＥＤ４２は、位相電流、位相電圧、電力、エネルギー、需要（例えば、電力需要）、周波数、等を決定することができる。加えて、ＩＥＤ４２は、接点入力、仮想入力、遠隔入力、遠隔二重点ステータス入力、テレプロテクション（ｔｅｌｅｐｒｏｔｅｃｔｉｏｎ）入力、接点出力、仮想出力、遠隔装置、ディジタルカウンタ、セレクタスイッチ、フレックス状態、直接入力、直接装置、直接整数入力、テレプロテクションチャネルテスト、イーサネット（登録商標）スイッチ、等のステータスを決定することができる。
【００１９】
ＩＥＤ４２は、所望の動作をするように電力設備４４に指示するために、電力設備４４へ制御情報を送ることによって制御機能を実行することができる。いくつかの事例では、所望の動作は、保護機能を含むことができる。例えば、電力設備４４がしきい値より大きい測定値および／または測定値における異常を感知する場合には、ＩＥＤ４２は、回路遮断器などの電力設備４４を始動するように指示することができる。これらの測定値は、電流差異、方向性位相過電流、方向性中性過電流、逆相過電流、不足電圧、過電圧、および距離保護を含むことができる。図１および図２に図示したシステム１０および３６の追加の特徴および機能のさらなる例は、２０１３年３月１５日に出願した「ＷＩＲＥＬＥＳＳ  ＣＯＭＭＵＮＩＣＡＴＩＯＮ  ＳＹＳＴＥＭ  ＡＮＤ  ＭＥＴＨＯＤ  ＦＯＲ  ＩＮＴＥＬＬＩＧＥＮＴ  ＥＬＥＣＴＲＯＮＩＣ  ＤＥＶＩＣＥＳ（インテリジェント電子装置用の無線通信システムおよび方法）」という名称の米国特許出願第１３／８３６，９６２号に記載され、これはすべての目的のためにその全体が参照によって援用される。
【００２０】
新しいＩＥＤが、上に論じた保護および制御システム３６などのシステム内に据え付けられると、ＩＥＤは、コミッショニングを受けることができ、ここでは、デフォルト（例えば、工場インストールの）ＩＥＤ設定セット値を、システム内でのＩＥＤのアイデンティティおよび所望の動きを規定するＩＥＤ設定セット値を用いて更新することができる。例えば、上記のように、ＩＥＤ設定セット値は、製品組立て、遠隔リソース、グループ分けした要素、制御要素、入力／出力、変換器入力／出力、テスト、等に関係するＩＥＤ４２のパラメータを規定することができる。これを念頭に置いて、図３は、本技術によるＩＥＤ設定システム６０の実施形態を図示する。ＩＥＤ設定システム６０は、コミッショニングされるＩＥＤ４２ならびにＩＥＤ設定装置６２を含む。上に述べたように、図示したＩＥＤ４２は、プロセッサ４８およびメモリ５２を含み、ＩＥＤ４２は、動作中にメモリ５２内に記憶された命令（例えば、ファームウェア、アプリケーション、プログラム、ルーチン、等）を実行するためにプロセッサ４８を使用することができる。図示したＩＥＤ４２は、１つまたは複数のセンサ６４をやはり含み、センサは、ＩＥＤが保護および制御システム３６の動作に関係する測定（例えば、電圧、電流、負荷、温度、圧力、流量、等）を実行することを可能にすることができ、保護および制御システムは、アクセスポイント４０を介して管理装置３８へ測定値を報告することができる。図示したＩＥＤ４２は、１つまたは複数の制御装置６６をやはり含み、制御装置は、アクセスポイント４０を介して管理装置３８から受信する命令に基づいて電力設備４４のうちの１つまたは複数へ制御信号を送ることができる。加えて、図示したＩＥＤ４２は、１つまたは複数の入力および出力装置６８（例えば、タッチスクリーン、制御パネル、ポインティングデバイス、キーボード、等）を含み、入力および出力装置は、オペレータがＩＥＤ４２と直接インターフェースすること（例えば、物理的に対話すること）を可能にする。しかしながら、１つまたは複数の入力および出力装置６８がある種の実施形態では存在することができるとはいえ、ここに開示した技術は、オペレータがＩＥＤ４２と直接インターフェースしなくても（例えば、物理的に対話しなくても）ＩＥＤ４２のコミッショニングを可能にすることを認識することができる。
【００２１】
図３に図示したＩＥＤ４２は、２つの通信モジュールを含む。図示した実施形態に関して、第１の通信モジュール７０は、有線ネットワークインターフェースカード（ＮＩＣ）（例えば、イーサネット（登録商標）ＮＩＣ）であり、ＩＥＤ４２と有線ネットワーク７１上のアクセスポイント４０との間の通信を可能にする。上記のように、アクセスポイント４０は、図２に図示したように、ＩＥＤ４２と管理装置３８との間の通信の橋渡しをすることができる。図示したＩＥＤ４２に関する第２の通信モジュール７２は、無線ネットワークインターフェースカード（例えば、ＩＥＥＥ８０２．１１ｘ無線ローカルエリアネットワーク（ＷＬＡＮ）カード）であり、ＩＥＤ４２と無線ネットワーク７３上のＩＥＤ設定システム６２との間の通信を可能にする。上記のように、別の実施形態では、有線ネットワーク７１を、代わりに無線とすることができる。さらに別の実施形態では、ＩＥＤ４２は、１つだけの通信モジュール（例えば、無線通信モジュール７２）を含むことができ、プロセッサ４８は、別々のネットワークスタックを使用してアクセスポイント４０およびＩＥＤ設定装置６２の両方と通信するために、この１つの通信モジュールを動作させることができる。別の実施形態では、別のタイプまたは機構の通信モジュールが可能である、しかしながら、無線ネットワーク７３を、安全性を高めるためにＩＥＤ４２の別の通信チャネルとは一般に分離することができることを認識することができる。
【００２２】
図３に図示したＩＥＤ設定装置６２は、無線アクセスポイント構成要素７４および設定装置構成要素７６を含む。ある種の実施形態では、無線アクセスポイント構成要素７４は、無線ネットワーク７３のホストとして機能することができる。ある種の実施形態では、無線アクセスポイント構成要素７４を、スタンドアロンの無線アクセスポイント構成要素７４とすることができ、これゆえ、メモリ８０内に記憶された特定の無線ネットワーク設定にしたがって無線ネットワーク７３を確立し、ホストするように構成されたプロセッサ７８を含むことができる。さらに、ある種の実施形態では、無線アクセスポイント構成要素７４は、動作中に電力を無線アクセスポイント構成要素７４に供給するためのバッテリ構成要素８２を含むことができる。ある種の実施形態では、無線アクセスポイント構成要素７４を、動作中に電力を受電する設定装置７６に、追加でまたは代わりにつなげることができる。具体的な例として、ある種の実施形態では、無線アクセスポイント構成要素７４を、無線アクセスポイント（ＷＡＰ）とすることができ、無線アクセスポイントは、動作中に電力を受電するために（例えば、設定装置７６のユニバーサルシリアルバス（ＵＳＢ）接続部へとプラグ接続された）設定装置７６に物理的につなげられるように設計される。
【００２３】
図３に図示したＩＥＤ設定装置６２の設定装置構成要素７６を、デスクトップコンピュータまたは携帯型計算装置とすることができる。具体的な例として、ある種の実施形態では、設定装置構成要素７６を、ラップトップ、タブレット、スマートフォン、または別の適切な計算装置とすることができる。図３に図示した設定装置構成要素７６は、設定装置構成要素７６の動作を制御するために、メモリ８６内に記憶された１つまたは複数の命令を実行するように構成されたプロセッサ８４を含む。図示した設定装置構成要素７６は、通信モジュール８８をやはり含む。通信モジュール８８を、有線または無線通信モジュール（例えば、有線または無線ネットワークインターフェースカード（ＮＩＣ））とすることができ、これは、設定装置構成要素７６が設定装置構成要素７６とＩＥＤ設定装置６２の無線アクセスポイント構成要素７４との間の有線または無線接続８９を確立することを可能にする。別の実施形態では、設定装置構成要素７６は、インターネットを介して設定装置構成要素７６がＩＥＤ設定リポジトリシステムなどの他の計算装置と通信することを可能にする別の通信モジュール（例えば、別の有線または無線ネットワークインターフェース）を含むことができる。
【００２４】
図３に図示したＩＥＤ設定装置６２の設定装置構成要素７６は、１つまたは複数の入力および出力装置９０をさらに含む。下記に論じるように、ある種の実施形態では、設定装置構成要素７６の入力および出力装置９０は、ＩＥＤ設定装置６２とのオペレータの対話を容易にすることができる。すなわち、下記に詳細に述べるように、入力および出力装置９０は、スクリーン（例えば、タッチスクリーン、モニタ、または別の適切なディスプレイ）を含むことができ、スクリーンは、ＩＥＤ設定装置６２の設定装置構成要素７６が無線アクセスポイント構成要素７４によってホストされた無線ネットワークと結合されている１つまたは複数のＩＥＤ４２に関する情報をオペレータに提示するまたは表示することを可能にすることができる。さらに、ある種の実施形態では、入力および出力装置９０は、ＩＥＤ４２に関する所望のＩＥＤ設定セット値に対するオペレータからの入力を受信することができる１つまたは複数の入力装置（例えば、タッチスクリーン、キーボード、キーパッド、ポインティングデバイス、等）を含むことができる。
【００２５】
図４は、ＩＥＤ設定システム６０の実施形態の概略を図示するブロック図である。ＩＥＤ４２は図３に図示したＩＥＤ４２と同じであるが、図４に図示したＩＥＤ設定装置１００は、図３に図示したＩＥＤ設定装置６２とは異なる。特に、図３に図示したように、無線アクセスポイント構成要素７４および設定装置構成要素７６へと構成されるよりはむしろ、図４に図示したＩＥＤ設定装置１００は、単一の集積型装置として構成される。それはそうとして、ＩＥＤ設定装置１００は、動作中にメモリ１０４内に記憶した１つまたは複数の命令を実行するように構成されたプロセッサ１０２を含む。加えて、ＩＥＤ設定装置１００は、１つまたは複数の入力および出力装置１０６を含むことができ、入力および出力装置は、上に論じた設定装置構成要素７６の１つまたは複数の入力および出力装置９０と同様に動作して、ＩＥＤ設定装置１００のオペレータへの情報の提示および入力の受信を容易にする。さらに、図４に図示したＩＥＤ設定装置１００は、通信モジュール１０８を含み、通信モジュールは、ＩＥＤ４２とＩＥＤ設定装置１００との間の無線接続７３を提供する無線ネットワーク（例えば、ＷＡＰ機能）をホストするように構成される。ある種の実施形態では、通信モジュール１０８は、無線アクセスポイント（ＷＡＰ）として機能することができ、無線アクセスポイントは、複数のＩＥＤ４２がホストされた無線ネットワークを結合することを可能にすることができる。別の実施形態では、通信モジュール１０８を、一度に接続するために１つのＩＥＤ４２に対する無線ネットワーク７３をホストするＩＥＥＥ８０２．１１ｘアドホックネットワーキングモードで動作する無線ネットワークインターフェースカード（ＮＩＣ）として実装することができる。
【００２６】
上記を念頭に置いて、図５は、プロセス１２０の実施形態を図示する流れ図であり、これによって、ＩＥＤを用意し、配置することができる。すなわち、上に述べたように、ＩＥＤ４２ならびにＩＥＤ設定装置６２および１００は、一般に、複数の無線設定セット値に基づく無線ネットワーク７３を自動的に形成することができ、無線設定セット値は、配置の前に（例えば、顧客に出荷する前におよび／または顧客のところで据え付けられる前に製造者によって）ＩＥＤ４２へと事前プログラムされる。それはそうとして、図示したプロセス１２０は、据え付けの後でブートすると無線コミッショニングモードで動作するようにＩＥＤが事前設定されること（ブロック１２２）で始まる。この事前設定を、図７においてＩＥＤの観点から下記にきわめて詳細に論じ、無線コミッショニングモードを、図８においてＩＥＤの観点から下記にきわめて詳細に論じる。一旦、ＩＥＤが事前設定されると、ＩＥＤを（例えば、図２に図示したような保護および制御システム３６内に）据え付けることができ、その後、無線コミッショニングモードで動作するようにブートすることができる（ブロック１２４）。
【００２７】
図６は、プロセス１３０の実施形態を図示する流れ図であり、これにより、ＩＥＤをコミッショニングするために、ＩＥＤ設定装置をオペレータによって使用することができる。それはそうとして、図示したプロセス１３０は、自動発見モードでＩＥＤ設定装置（例えば、ＩＥＤ設定装置６２）をオペレータが起動させること（ブロック１３２）で始まる。自動発見モードを、図９においてＩＥＤ設定装置の観点から下記にきわめて詳細に論じる。図６に図示したプロセス１３０は、オペレータが、ＩＥＤ４２の無線範囲内にＩＥＤ設定装置６２を配置する（ブロック１３４）ときに続き、ＩＥＤがＩＥＤ設定装置６２との無線接続７３を確立すると、ＩＥＤ設定装置６２がＩＥＤを発見することを可能にする。引き続いて、ある種の実施形態では、オペレータは、発見したＩＥＤ４２のリストを（例えば、出力装置９０を介して）提示されることがある。オペレータは、その後、発見したＩＥＤのリストからコミッショニングしようとするＩＥＤ４２を（例えば、入力装置９０を介して）選択することができる（ブロック１３６）。
【００２８】
図６に図示したプロセス１３０を通して続けると、次に、選択したＩＥＤ４２に関する設定セット値を、オペレータに提示することができる。例えば、ＩＥＤ設定装置６２は、１つまたは複数の出力装置９０を利用することができ、現在の（例えば、事前設定されたまたは事前プログラムされた）ＩＥＤ設定セット値を表示するグラフィカルユーザインターフェース（ＧＵＩ）を用いてオペレータに提示することができる。このＧＵＩは、ＩＥＤの各設定セット値に対して１つまたは複数の編集可能なフィールド（例えば、テキストボックス、ラジオボタン、コンボボックス、選択ボックス、等）を含むことができる。ある種の実施形態では、このＧＵＩは、ある種のＩＥＤ設定セット値に対してオペレータがそこから選択するための事前に定義された値を（例えば、コンボボックスまたは選択ボックス内に）さらに含むことができる。したがって、オペレータは、その後、ＩＥＤ４２の設定セット値に関する値を（例えば、入力装置９０を介して）提供することができる（ブロック１３８）。最後に、オペレータは、ブロック１３４において確立した無線接続を介してＩＥＤ４２へ提供された設定セット値を送るようにＩＥＤ設定装置６２に指示することができる（ブロック１４０）。
【００２９】
図７は、プロセス１５０の実施形態を図示する流れ図であり、これによって、配置する前に（例えば、製造者によって）ＩＥＤを事前設定することができる。特に、プロセス１５０は、一般に、無線コミッショニングモードで動作するときにＩＥＤの動きを事前設定するまたは事前プログラムすることができる。それはそうとして、図示した事前設定プロセス１５０は、無線コミッショニングモードが無効にされるまで、利用可能なＩＥＤ設定装置（例えば、ＩＥＤ設定装置６２）によってホストされた無線ネットワーク７３との接続を継続的にまたは定期的に探索し、確立しようと試みる命令をＩＥＤが受信し、記憶すること（ブロック１５２）で始まる。
【００３０】
図７に図示した、図示の事前設定プロセス１５０は、無線ネットワークに関するサービスセット識別子（ＳＳＩＤ）を指示する命令をＩＥＤ４２が受信し、記憶すること（ブロック１５４）に続く。ＩＥＤ４２は、無線ネットワーク７３に接続するためのパスコード、パスフレーズ、認可証、キー、または他の適切な認証情報を指示する命令を受信し、記憶することができる（ブロック１５６）。例えば、ある種の実施形態では、無線ネットワーク７３を、正しい事前共有キー（ＰＳＫ）を提供する各無線クライアントに応じた認証の方法を使用するように構成されたＩＥＥＥ８０２．１１ｘ無線ローカルエリアネットワーク（ＷＬＡＮ）とすることができる。具体的な例として、ある種の実施形態では、ＰＳＫとともにＷｉ−Ｆｉ保護アクセス（ＷＰＡ）もしくはＷｉ−Ｆｉ保護アクセスＩＩ（ＷＡＰ２）、またはデータ暗号化のためのＩＥＥＥ８０２．１１ｉ標準に基づく別の適切な認証メカニズムなどの特定の暗号化アルゴリズムを使用することができる。ＷＡＰ／ＷＡＰ２が、ＴＫＩＰ（一時キーインテグリティプロトコル（Ｔｅｍｐｏｒａｌ  Ｋｅｙ  Ｉｎｔｅｇｒｉｔｙ  Ｐｒｏｔｏｃｏｌ））および／またはＣＣＭＰ（暗号ブロック連鎖メッセージ認証コードプロトコルを有するカウンタモード（Ｃｏｕｎｔｅｒ  Ｍｏｄｅ  ｗｉｔｈ  Ｃｉｐｈｅｒ  Ｂｌｏｃｋ  Ｃｈａｉｎｉｎｇ  Ｍｅｓｓａｇｅ  Ａｕｔｈｅｎｔｉｃａｔｉｏｎ  Ｃｏｄｅ  Ｐｒｏｔｏｃｏｌ））などの特定の暗号化アルゴリズムを含むことができることを認識することができ、これらは、ＡＥＳ（高度暗号化標準（Ａｄｖａｎｃｅｄ  Ｅｎｃｒｙｐｔｉｏｎ  Ｓｔａｎｄａｒｄ））に基づく拡張データ暗号カプセル化メカニズムを提供する。ある種の実施形態では、無線ネットワークで認証するための正しいキーを生成するために使用することができるパスフレーズ（例えば、１６進法の文字列または情報交換の米国標準コード（ＡＳＣＩＩ）キャラクタ）を用いて、ＩＥＤを事前設定することができる。具体的な例として、ある種の実施形態では、ＩＥＤが無線ネットワーク７３に接続することを可能にするための暗号化キー（例えば、２５６ビット暗号化キー）を内部で生成するために、ＷＡＰ２パスフレーズ（例えば、８から１４個のプリント可能なＡＳＣＩＩキャラクタの文字列）を使用することができる。
【００３１】
図７に図示した、図示の事前設定プロセス１５０は、無線ネットワーク７３上のＩＥＤ４２に関するインターネットプロトコル（ＩＰ）アドレスを指示する命令をＩＥＤ４２が受信し、記憶すること（ブロック１５８）に続く。ＩＥＤ設定装置６２または１００によってホストされた無線ネットワーク７３が無線クライアントとして複数のＩＥＤの同時接続を可能することができるので、ブロック１５８においてＩＥＤ４２によって受信され記憶されたＩＰアドレスは、同じシステム（例えば、保護および制御システム３６）内に据え付けられた異なるＩＥＤ４２間のＩＰ競合を防止するために固有であり得ることを認識することができる。すなわち、特定の顧客へ送るべき事前プログラムされたＩＥＤ４２のグループに関して、グループの各ＩＥＤ４２は、無線ネットワーク内で通信するための固有のＩＰアドレスを受信し、記憶し、そして利用することができる。例えば、ある種の実施形態では、ＩＰアドレスおよびマスクを、プライベート範囲（例えば、１９２．１６８．０．ｘ／２４）に属するように選択することができ、ここでは、ｘを、ＩＥＤシリアル番号のシリアル番号に基づいて計算することができる。具体的な例として、ある種の実施形態では、ＩＥＤシリアル番号の最後の３桁のモジュロ２５２を決定し、そして次に２を加えること（例えば、ｘ＝（Ｌａｓｔ＿ｔｈｒｅｅ＿ｄｉｇｉｔｓ＿ｏｆ＿ｓｅｒｉａｌ  ＭＯＤ  ２５２）＋２）によって、ＩＥＤに関するＩＰアドレスを計算するまたは生成することができる。その結果、ｘは、ＩＰアドレスの最終桁に関して３と２５４との間の任意の値を有することができ、これは、２つのＩＰアドレス（すなわち、ｘ＝１およびｘ＝２）が、それぞれ無線アクセスポイント構成要素７４および設定装置７６に対して確保されることを可能にする。さらに、この生成したＩＰアドレスは、一般に、同じ場所に据え付けられた任意の２つのＩＥＤが互いに同じデフォルトＩＰアドレスを有すること、およびＩＥＤ設定装置６２の無線アクセスポイント構成要素７４または設定装置構成要素７６と同じＩＰアドレスを有することを防止することができる。
【００３２】
加えて、図４に図示したＩＥＤ設定装置１００を有する実施形態に関して、ＩＥＤ４２は、ＩＥＤ設定装置１００に関するＩＰアドレスを指示する命令を受信し、記憶することができる（ブロック１６０）。図３に図示したＩＥＤ設定装置６２を有する実施形態に関して、ＩＥＤ４２は、やはり、無線ネットワーク７３上のＩＥＤ設定装置６２のアクセスポイント構成要素７４（例えば、無線ホスト）および設定装置構成要素７６の両方に関するＩＰアドレスを指示する命令を受信し、記憶することができる。これは、ＩＥＤ設定装置１００ならびにＩＥＤ設定装置６２の設定装置構成要素７６および無線アクセスポイント構成要素７４が、無線ネットワーク上の１つまたは複数のＩＥＤ装置とのＩＰ競合を回避するためにＩＥＤ設定装置１００または６２に関する１つまたは複数のＩＰアドレス（例えば、ＩＰアドレスＸ．Ｘ．Ｘ．１およびＸ．Ｘ．Ｘ．２）を確保することを可能にする。
【００３３】
図７に図示した、図示の事前設定プロセス１５０は、無線ネットワークに関するＩＰサブネットマスクを指示する命令をＩＥＤ４２が受信し、記憶すること（ブロック１６２）に続く。加えて、図７に図示した無線設定パラメータは、網羅的であるものではなく、ＩＥＤ４２を、いずれかの他の適切な無線ネットワーク設定情報で事前設定することができる。さらにその上、ＩＥＤ４２に提供されこれによって記憶された無線ネットワーク設定情報に加えて、ある種の実施形態では、ＩＥＤ４２は、ＩＥＤ４２に関係する識別情報を指示する命令を受信し、記憶することができる（ブロック１６４）。例えば、識別情報は、ＩＥＤ４２のシリアル番号、ＩＥＤ４２のトラッキング番号、保護および制御システム３６内でのＩＥＤ４２の意図したまたは予期される場所、ＩＥＤ４２の名前、ＩＥＤ４２の型番、ＩＥＤ４２のファームウェアバージョン、またはＩＥＤ４２に関係するいずれかの他の適切な識別情報を含むことができる。ブロック１５２、１５４、１５６、１５８、１６０、１６２、および１６４が特定の順番で示されているが、別の実施形態では、図示したプロセス１５０を本取り組みの効果を無効にせずに別のシーケンスで実行することができることを認識することができる。
【００３４】
図８は、プロセス１７０の実施形態を図示する流れ図であり、これによって、ＩＥＤ４２は、無線コミッショニングモードで動作することができる。すなわち、ＩＥＤ４２が、（例えば、図５に図示したプロセス１２０にしたがって）事前設定され、据え付けられた後で、ＩＥＤ４２は、電源を入れると無線コミッショニングモードで自動的に動作することができる。したがって、プロセス１７０は、図７に関して論じたように、事前設定命令およびセット値に基づいて無線コミッショニングモードでＩＥＤをブートし、動作を始めること（ブロック１７２）で始まる。無線コミッショニングモードで動作すると、ＩＥＤは、利用可能なＩＥＤ設定装置６２または１００によってホストされた無線ネットワークのＳＳＩＤビーコンを継続的にまたは定期的に探索することができる（ブロック１７４）。
【００３５】
図８に図示したプロセス１７０を通して続けると、ある時点で、ＩＥＤ４２は、ＩＥＤ設定装置６２または１００によってホストされた無線ネットワークのＳＳＩＤビーコンを検出することができる（ブロック１７６）。その後、ＩＥＤ４２は、ＩＥＤ設定装置６２または１００によってホストされた無線ネットワーク７３に接続することができる（ブロック１７８）。より具体的に、ＩＥＤ設定装置６２を使用する実施形態に関して、ＩＥＤ４２は、ＩＥＤ設定装置６２の無線アクセスポイント構成要素７４に接続することができ、ＩＥＤ設定装置６２の設定装置構成要素７６と同じネットワーク（例えば、無線ネットワーク７３）上に存在することができる。さらに、ある種の実施形態では、ＩＥＤ４２は、ＩＥＤ設定装置６２または１００へ、上に論じたＩＥＤ識別情報を提供することができる（ブロック１８０）。より具体的に、ＩＥＤ設定装置６２を使用する実施形態に関して、ＩＥＤ４２は、ＩＥＤ設定装置６２の設定装置構成要素７６へＩＥＤ識別情報を提供することができる。
【００３６】
図９は、プロセス１９０の実施形態を図示する流れ図であり、これによって、ＩＥＤ設定装置６２または１００は、自動発見モードで動作することができる。すなわち、コミッショニングすべき１つまたは複数のＩＥＤ４２が、事前設定され、据え付けられ、そして上に論じたように無線コミッショニングモードで動作した後で、ＩＥＤ設定装置（例えば、ＩＥＤ設定装置６２または１００）は、無線コミッショニングモードでありかつ無線範囲内にあるすべてのＩＥＤ４２を自動的に発見するまたは検出するために、プロセス１９０にしたがって機能することができる。図９に図示したプロセス１９０は、自動発見モードを起動させるためにＩＥＤ設定装置６２に対するオペレータ指示をＩＥＤ設定装置６２が受信すること（ブロック１９２）で始まる。呼応して、ＩＥＤ設定装置６２は、ネットワーク設定セット値が無線コミッショニングモードで動作している１つまたは複数のＩＥＤ４２の事前設定セット値と一致する無線ネットワークをホストするために、無線通信モジュール（例えば、無線アクセスポイント構成要素７４）を起動させることができる（ブロック１９４）。したがって、ＩＥＤ設定装置６２は、無線ネットワークに接続しようと試みるために、無線コミッショニングモードの１つまたは複数のＩＥＤ４２を待機することができる（ブロック１９６）。
【００３７】
図９に図示したプロセス１９０を通して続けると、ＩＥＤ設定装置６２は、無線ネットワークに接続しようと試みている１つまたは複数のＩＥＤ４２の認証情報を受信し、検証することができ（ブロック１９８）、無線ネットワークを介して１つまたは複数のＩＥＤ４２との接続（例えば、無線ネットワーク７３を介して安全な接続）を確立することができる（ブロック２００）。引き続いて、ある種の実施形態では、ＩＥＤ設定装置６２は、無線ネットワークを介して１つまたは複数のＩＥＤ４２からＩＥＤ識別情報を受信することができる（ブロック２０２）。その後、ＩＥＤ設定装置６２は、１つまたは複数の発見したＩＥＤから受信したＩＥＤ識別情報をオペレータに提示することができる（ブロック２０４）。矢印２０６によって示したように、ある種の実施形態では、ＩＥＤ設定装置６２は、ある期間にわたりブロック１９６、１９８、２００、２０２、および２０４を繰り返すことができ、新しいＩＥＤが発見されたとき、発見したＩＥＤのリストを継続的に更新することができる。ある後の時点で、ＩＥＤ設定装置６２は、自動発見モードを停止するためにＩＥＤ設定装置６２に対するオペレータ指示を受信することができ（ブロック２０８）、無線ネットワークをホストすることを中断することができる。
【００３８】
図１０は、プロセス２２０の実施形態を図示する流れ図であり、これによって、ＩＥＤ設定装置６２または１００は、オペレータから（例えば、タッチスクリーンディスプレイ装置などの上記の入力／出力装置９０または１０６を介して）ＩＥＤ４２に関する設定セット値を受信することができ、ＩＥＤ４２に設定セット値を提供することができる。すなわち、一旦、オペレータが、発見したＩＥＤのリストからコミッショニングすべき特定のＩＥＤ４２を選択すると、オペレータは、選択したＩＥＤ４２に関するＩＥＤ設定セット値を提供するようにプロンプトで指示を求めることができる。上記のように、ある種の実施形態では、ＩＥＤ設定装置６２または１００は、上に論じたＩＥＤ識別情報を含むＩＥＤ設定セット値に関する現在の（例えば、事前設定した）値をディスプレイ上に提示することができる。これを念頭に置いて、図示したプロセス２２０は、ＩＥＤ設定装置６２または１００がＩＥＤ設定セット値に関する選択肢をオペレータに提示すること（ブロック２２２）または表示することで始まる。ある種の実施形態では、ＩＥＤ設定装置６２または１００は、ＩＥＤ４２に関する更新した無線ネットワーク設定セット値を提供するように、ディスプレイを介して、オペレータに具体的にプロンプトで指示を求めることができることに留意する。特に、図２に図示した保護および制御システム３６における安全性を向上させるために、ＩＥＤ設定装置６２または１００は、新しいＳＳＩＤ、ネットワーク安全性パスフレーズもしくはキー、ＩＰアドレス、ＩＰサブネットマスク、またはＩＥＤ４２に関する他の適切な無線ネットワーク設定セット値を提供するように、ディスプレイを介して、オペレータにプロンプトで指示を求めることができる。ある種の実施形態では、ＩＥＤ設定装置６２または１００は、ＩＥＤ４２に関する無線ネットワーク設定セット値を含む異なるＩＥＤ設定セット値に関する編集可能なフィールドおよび／または事前に満たした選択肢（例えば、選択ボックスまたはコンボボックス）を有するＧＵＩを、ディスプレイを介して、オペレータに提示することができる。それはそうとして、ＩＥＤ設定装置６２または１００は、ＩＥＤ設定セット値に関する値を指示するオペレータ入力を受信することができる（ブロック２２４）。
【００３９】
図１０に図示したプロセス２２０を通して続けると、次に、ＩＥＤ設定装置６２または１００は、無線ネットワーク７３を介してＩＥＤ４２へ、オペレータから受信したＩＥＤ設定セット値に関する値を送ることができる（ブロック２２６）。さらにその上、ある種の実施形態では、ＩＥＤ設定装置６２または１００は、ＩＥＤ４２がＩＥＤ設定セット値に関する提供された値を使用して動作を再開させるためおよび無線コミッショニングモード動作を中断させるために、無線ネットワーク７３を介して、ＩＥＤ４２へ命令を送ることができる（ブロック２２８）。別の実施形態では、下記に論じるように、ＩＥＤ４２は、ＩＥＤ設定装置６２または１００によって送られたＩＥＤ設定セット値に関する値を受信した後で、動作を自動的に再開し、無線コミッショニングモード動作を中断することができる。
【００４０】
図１１は、プロセス２４０の実施形態を図示する流れ図であり、これによって、ＩＥＤ４２は、ＩＥＤ設定装置６２または１００からＩＥＤ設定セット値を受信することができ、コミッショニングプロセスを完了することができる。図１１に図示したプロセス２４０は、無線ネットワーク７３を介してＩＥＤ設定装置からＩＥＤ設定セット値に関する値をＩＥＤ４２が受信すること（ブロック２４２）で始まる。引き続いて、ＩＥＤは、無線ネットワーク７３を介してＩＥＤ設定装置６２または１００から受信した値を使用してＩＥＤ４２のＩＥＤ設定セット値を更新することができる（ブロック２４４）。ある種の実施形態では、ＩＥＤ４２は、その後、再ブートする、再開する、または電源を入れ直すことができる。最後に、図示したプロセス２４０は、ＩＥＤ４２がＩＥＤ設定セット値に関する更新した値を使用して動作すること（ブロック２４６）および無線コミッショニングモード動作を中断することで終了する。
【００４１】
開示した実施形態の技術的な効果は、現地で物理的な対話をせずに据え付けたＩＥＤをコミッショニングする（すなわち、タッチレスＩＥＤコミッショニング）能力を含む。すなわち、本実施形態は、ＩＥＥＥ８０２．１１ｘ標準に基づく無線ローカルエリアネットワーク（ＷＬＡＮ）を介した安全な通信を使用してＩＥＤのタッチレス初期設定を可能にするシステムおよび方法を提供する。送電網システムならびに保護および制御システムなどのある種のシステムが、高電圧設備を制御するＩＥＤ、到達することが困難な場所に配置されたＩＥＤ、および／または広い物理的な空間にわたって分散された多数のＩＥＤを含むことができるので、本実施形態は、オペレータが遠くから安全な方式でＩＥＤをコミッショニングすることを可能にする。本実施形態は、ＩＥＤが良好にコミッショニングされるまで、利用可能なＩＥＤ設定装置を探索する無線コミッショニングモードで動作する事前設定されたＩＥＤを含む。無線コミッショニングモードは、ＩＥＤが自動発見モードで動作している利用可能なＩＥＤ設定装置との安全な無線接続を自動的に確立することを可能にする。一旦、ＩＥＤおよびＩＥＤ設定装置が安全な無線接続を共有すると、ＩＥＤと物理的な対話をせずにＩＥＤをコミッショニングするために、初期設定を実行することができる。
【００４２】
この明細書は、最良の形態を含む本発明を開示するため、ならびにいかなる当業者でも、いずれかの装置またはシステムを作成することそして使用すること、およびいずれかの組み込んだ方法を実行することを含む本発明を実行することをやはり可能にするために例を使用する。本発明の特許可能な範囲は、特許請求の範囲によって規定され、当業者なら思い付く別の例を含むことができる。このような別の例が特許請求の範囲の文面から逸脱しない構造的要素を有する場合、またはこのような別の例が特許請求の範囲の文面とは実質的でない差異しか有さない等価な構造的要素を含む場合には、このような別の例は、特許請求の範囲の範囲内であるものとする。
【符号の説明】
【００４３】
１０  送電網システム
１２  ユーティリティ
１４  ユーティリティ制御センタ
１６  発電所
１８  代替発電所
２０  水力発電プラント
２２  地熱発電プラント
２４  電力伝送網
２６  電力分配変電所
３０  工業電力消費者
３２  商業消費者
３４  住宅消費者
３６  保護および制御システム
４０  アクセスポイント
４２  インテリジェント電子装置（ＩＥＤ）
４４  電力設備
４６  プロセッサ
４８  プロセッサ
５０  メモリ
５２  メモリ
５４  プロセッサ
５６  メモリ
６０  ＩＥＤ設定システム
６２  ＩＥＤ設定装置
６４  センサ
６６  制御装置
６８  入力および出力装置
７０  第１の通信モジュール
７１  有線ネットワーク
７２  第２の通信モジュール
７２  無線通信モジュール
７３  無線ネットワーク
７４  無線アクセスポイント構成要素
７６  設定装置構成要素
７８  プロセッサ
８０  メモリ
８２  バッテリ構成要素
８４  プロセッサ
８６  メモリ
８８  通信モジュール
９０  入力および出力装置
１００  ＩＥＤ設定装置
１０２  プロセッサ
１０４  メモリ
１０６  入力および出力装置
１０８  通信モジュール
１２０  プロセス
１２２  据え付けの後でブートすると無線コミッショニングモードで動作するように事前設定される
１２４  ＩＥＤを据え付け、その後、無線コミッショニングモードで動作するようにブートする
１３０  プロセス
１３２  自動発見モードでＩＥＤ設定装置を起動させる
１３４  ＩＥＤの無線範囲内にＩＥＤ設定装置を配置し、ＩＥＤがＩＥＤ設定装置との無線接続を確立すると、ＩＥＤ設定装置６２がＩＥＤを発見することを可能にする
１３６  発見したＩＥＤのリストからコミッショニングしようとするＩＥＤを選択する
１３８  ＩＥＤの設定セット値に関する値を提供する
１４０  無線接続を介してＩＥＤへ提供された設定セット値を送るようにＩＥＤ設定装置に指示する
１５０  プロセス
１５２  利用可能なＩＥＤ設定装置によってホストされた無線ネットワークとの接続を継続的にまたは定期的に探索し、確立しようと試みる命令を受信し、記憶する
１５４  無線ネットワークに関するサービスセット識別子（ＳＳＩＤ）を指示する命令を受信し、記憶する
１５６  無線ネットワークに接続するためのパスコード、パスフレーズ、認可証、キー、または他の適切な認証情報を指示する命令を受信し、記憶する
１５８  無線ネットワーク上のＩＥＤに関するインターネットプロトコル（ＩＰ）アドレスを指示する命令を受信し、記憶する
１６０  ＩＥＤ設定装置に関するＩＰアドレスを指示する命令を受信し、記憶する
１６２  無線ネットワークに関するＩＰサブネットマスクを指示する命令を受信し、記憶する
１６４  ＩＥＤに関係する識別情報を指示する命令を受信し、記憶する
１７０  プロセス
１７２  事前設定命令およびセット値に基づいて無線コミッショニングモードでＩＥＤをブートし、動作を始める
１７４  利用可能なＩＥＤ設定装置によってホストされた無線ネットワークのＳＳＩＤビーコンを継続的にまたは定期的に探索する
１７６  ＩＥＤ設定装置によってホストされた無線ネットワークのＳＳＩＤビーコンを検出する
１７８  ＩＥＤ設定装置によってホストされた無線ネットワークに接続する
１８０  ＩＥＤ設定装置へＩＥＤ識別情報を提供する
１９０  プロセス
１９２  自動発見モードを起動させるためにＩＥＤ設定装置に対するオペレータ指示を受信する
１９４  ネットワーク設定セット値が無線コミッショニングモードで動作している１つまたは複数のＩＥＤの事前設定セット値と一致する無線ネットワークをホストするために、無線通信モジュールを起動させる
１９６  無線ネットワークに接続しようと試みるために無線コミッショニングモードの１つまたは複数のＩＥＤを待機する
１９８  無線ネットワークに接続しようと試みている１つまたは複数のＩＥＤの認証情報を受信し、検証する
２００  無線ネットワークを介して１つまたは複数のＩＥＤとの接続を確立する
２０２  無線ネットワークを介して１つまたは複数のＩＥＤからＩＥＤ識別情報を受信する
２０４  １つまたは複数の発見したＩＥＤから受信したＩＥＤ識別情報をオペレータに提示する
２０８  自動発見モードを停止するためにＩＥＤ設定装置に対するオペレータ指示を受信する
２２０  プロセス
２２２  ＩＥＤ設定セット値に関する選択肢をオペレータに提示する
２２４  ＩＥＤ設定セット値に関する値を指示するオペレータ入力を受信する
２２６  無線ネットワークを介してＩＥＤへ、オペレータから受信したＩＥＤ設定セット値に関する値を送る
２２８  ＩＥＤ設定セット値に関する提供された値を使用して動作を再開させるためおよび無線コミッショニングモード動作を中断させるために、無線ネットワークを介してＩＥＤへ命令を送る
２４０  プロセス
２４２  無線ネットワークを介してＩＥＤ設定装置からＩＥＤ設定セット値に関する値を受信する
２４４  無線ネットワークを介してＩＥＤ設定装置から受信した値を使用してＩＥＤのＩＥＤ設定セット値を更新する
２４６  ＩＥＤ設定セット値に関する更新した値を使用して動作する
【図１】
2015154490.tif 000003
【図２】
2015154490.tif 000004
【図３】
2015154490.tif 000005
【図４】
2015154490.tif 000006
【図５】
2015154490.tif 000007
【図６】
2015154490.tif 000008
【図７】
2015154490.tif 000009
【図８】
2015154490.tif 000010
【図９】
2015154490.tif 000011
【図１０】
2015154490.tif 000012
【図１１】
2015154490.tif 000013
【外国語明細書】
2015154490000001.pdf